(57)【要約】【課題】  ＣＯ2排出量が多いのか、または、少ないのかを感覚的に把握することができるＣＯ2排出量演算装置を提供する。【解決手段】  ＣＯ2排出量を知りたい物質に対応する物質指定用スイッチ操作部７を操作して物質を指定する。次に、その使用量を数量指定用スイッチ操作部１１で入力する。そして開始指令入力用スイッチ操作部１３を操作することにより、ＣＯ2排出量演算部３３がＣＯ2排出量を演算する。また、演算結果に基づき、必要本数演算部３５が１年間に何本の木で吸収することができるかに換算する。演算結果及び換算結果は、画像表示部３１に含まれる表示画面９の隣り合う位置に表示される。使用者は、表示画面９の１箇所を見ることにより、ＣＯ2排出量及びそのＣＯ2の吸収に必要な木の本数を認識することができる。【選択図】  図２
2009169867.tif 000002
【特許請求の範囲】
【請求項１】
複数の表示部分に複数の物質名がそれぞれ表示されて物質を指定する際に選択的に操作される複数の物質指定用スイッチ操作部と、
数量を入力する際に選択的に操作される複数の数量指定用スイッチ操作部と、
演算開始指令を入力する際に操作される開始指令入力用スイッチ操作部と、
前記演算開始指令が入力されると、前記複数の物質指定用スイッチ操作部から選択された物質と前記複数の数量指定用スイッチ操作部により入力された数量とを入力条件として、演算式に基づいてＣＯ2排出量を演算するＣＯ2排出量演算部と、
前記ＣＯ2排出量を１年間に何本の木で吸収することができるかに換算して必要な木の本数を表示する必要本数換算部と、
前記ＣＯ2排出量及び前記本数を木のアイコンと共に１つの表示画面の隣り合う位置に表示する画像表示部と、
前記複数の物質指定用スイッチ操作部、前記複数の数量指定用スイッチ操作部、前記開始指令入力用スイッチ操作部、前記ＣＯ2排出量演算部、前記必要本数換算部及び前記画像表示部が収納されるカード状ケースとを備えており、
前記カード状ケースに対して、固有の識別情報が視認可能に配置されていることを特徴とするＣＯ2排出量演算装置。
【請求項２】
前記カード状ケースには、ストラップ取付部が設けられている請求項１に記載のＣＯ2排出量演算装置。
【請求項３】
前記識別情報を印刷したカードが前記ストラップ取付部に取り付けられている請求項２に記載のＣＯ2排出量演算装置。
【請求項４】
前記カード状ケースの厚み方向に対向する一対の面の一方の面には、前記複数の物質指定用スイッチ操作部、前記複数の数量指定用スイッチ操作部及び前記開始指令入力用スイッチ操作部が操作可能に配置され且つ前記画像表示部が視認可能に配置されており、
前記カード状ケースの前記一対の面の他方の面には、前記物質名に包含される複数の物質のＣＯ2排出係数及び／又は換算率が表示されている請求項１に記載のＣＯ2排出量演算装置。
【請求項５】
前記１つの表示画面には、前記複数の表示部分に表示された前記複数の物質名に対応する複数の物質名が表示可能に構成されており、
前記画像表示部は、操作された前記物質指定用スイッチ操作部に対応する前記表示画面上の前記物質名のみを表示するように構成されている請求項１に記載のＣＯ2排出量演算装置。
【請求項６】
複数の表示部分に複数の物質名がそれぞれ表示されて物質を指定する際に選択的に操作される複数の物質指定用スイッチ操作部と、
数量を入力する際に選択的に操作される複数の数量指定用スイッチ操作部と、
演算開始指令を入力する際に操作される開始指令入力用スイッチ操作部と、
前記演算開始指令が入力されると、前記複数の物質指定用スイッチ操作部から選択された物質と前記複数の数量指定用スイッチ操作部により入力された数量とを入力条件として、演算式に基づいてＣＯ2排出量を演算するＣＯ2排出量演算部と、
前記ＣＯ2排出量を１年間に何本の木で吸収することができるかに換算して必要な木の本数を表示する必要本数換算部と、
前記ＣＯ2排出量及び前記本数を木のアイコンと共に１つの表示画面の隣り合う位置に表示する画像表示部と、
前記複数の物質指定用スイッチ操作部、前記複数の数量指定用スイッチ操作部、前記開始指令入力用スイッチ操作部、前記ＣＯ2排出量演算部、前記必要本数換算部及び前記画像表示部が収納されるカード状ケースとを備えていることを特徴とするＣＯ2排出量演算装置。
【請求項７】
前記カード状ケースには、ストラップ取付部が設けられている請求項６に記載のＣＯ2排出量演算装置。
【請求項８】
前記１つの表示画面には、前記複数の表示部分に表示された前記複数の物質名に対応する複数の物質名が表示されており、
前記画像表示部は、操作された前記物質指定用スイッチ操作部に対応する前記表示画面上の前記物質名のみが点滅して表示されるように構成されている請求項６に記載のＣＯ2排出量演算装置。
【請求項９】
前記複数の表示部分には、前記複数の物質名に対応するアイコンが表示されている請求項６に記載のＣＯ2排出量演算装置。
【請求項１０】
前記カード状ケースの厚み方向に対向する一対の面の一方の面には、前記複数の物質指定用スイッチ操作部、前記複数の数量指定用スイッチ操作部及び前記開始指令入力用スイッチ操作部が操作可能に配置され且つ前記画像表示部が視認可能に配置されており、
前記カード状ケースの前記一対の面の他方の面には、前記物質名に包含される複数の物質のＣＯ2排出係数及び／又は換算率が表示されている請求項６に記載のＣＯ2排出量演算装置。
【発明の詳細な説明】
【技術分野】
【０００１】
本発明は、簡単な操作でＣＯ2排出量を演算し、演算結果をわかりやすく表示することができるＣＯ2排出量演算装置に関するものである。
【背景技術】
【０００２】
近年、地球の温暖化が問題となっており、その原因の一つである二酸化炭素（ＣＯ2）その他の温室効果ガスの排出の抑制の必要性が叫ばれている。そこで、従来から、排出している温室効果ガス、特にＣＯ2の量をある程度数値的に把握するためのＣＯ2排出量演算装置が知られている。例えば、実用新案登録第３０５９５１０号公報（特許文献１）には、ＣＯ2排出量を演算することが可能な電卓が開示されている。この電卓では、電気・ガスなどの各物質の使用量に各物質のＣＯ2排出係数を乗じることによりＣＯ2排出量を演算する。具体的に、この電卓では、物質の使用量を電卓の数字キー（数量指定用スイッチ操作部）を用いて入力し、物質を選択するための電卓キー（物質指定用スイッチ操作部及び開始指令入力用スイッチ操作部）を押すことによって、ＣＯ2排出量を演算している。
【特許文献１】実用新案登録第３０５９５１０号公報
【発明の開示】
【発明が解決しようとする課題】
【０００３】
しかしながら、従来のＣＯ2排出量演算装置を用いた場合、演算結果は、数字で表示されるだけである。そのため、表示されている数字がどのような意味を有しているのかがわかりにくく、ＣＯ2排出量が多いのか、または、少ないのかを常に感覚的に把握することが困難であった。
【０００４】
本発明の目的は、ＣＯ2排出量が多いのか、または、少ないのかを感覚的に把握することができるＣＯ2排出量演算装置を提供することにある。
【０００５】
本発明の他の目的は、操作が簡単で、また、誤操作を起こしにくいＣＯ2排出量演算装置を提供することにある。
【０００６】
上記目的に加えて、本発明の目的は、スイッチの数に限りがある場合でも、多種類の物質のＣＯ2排出量を知ることができるＣＯ2排出量演算装置を提供することにある。
【０００７】
さらに、本発明の他の目的は、利用者同士の交流によりＣＯ2排出量についての関心を高めることができるＣＯ2排出量演算装置を提供することにある。
【課題を解決するための手段】
【０００８】
本発明のＣＯ2排出量演算装置は、基本的な構成に、複数の物質指定用スイッチ操作部と、複数の数量指定用スイッチ操作部と、開始指令入力用スイッチ操作部と、ＣＯ2排出量演算部と、必要本数換算部と、画像表示部と、これらが収納されるカード状ケースとを備えている。複数の物質指定用スイッチ操作部は、複数の表示部分に複数の物質名がそれぞれ表示されて物質を指定する際に選択的に操作される。また複数の数量指定用スイッチ操作部は、数量を入力する際に選択的に操作される。さらに開始指令入力用スイッチ操作部は、演算開始指令を入力する際に操作される。そしてＣＯ2排出量演算部は、演算開始指令が入力されると、複数の物質指定用スイッチ操作部から選択された物質と複数の数量指定用スイッチ操作部により入力された数量とを入力条件として、演算式に基づいてＣＯ2排出量を演算する。必要本数換算部は、ＣＯ2排出量を１年間に何本の木で吸収することができるかに換算する。画像表示部は、ＣＯ2排出量及び必要本数を木のアイコンと共に１つの表示画面の隣り合う位置に表示する。
【０００９】
本発明では、必要本数換算部により、ＣＯ2排出量演算部の演算結果であるＣＯ2排出量を１年間に何本の木で吸収することができるかに換算して、画像表示部がＣＯ2排出量及び必要本数を木のアイコンと共に１つの表示画面の隣り合う位置に表示する。したがって本発明によれば、ＣＯ2排出量及び必要本数を隣り合う位置に表示することにより、ある物質の使用によって排出されるＣＯ2の量を知ることができると共に、そのＣＯ2を吸収するには、何本の木が必要になるのかを一つの箇所を見ることにより常に認識することになる。そのため、ＣＯ2の量と必要本数とを常に比較し得る状態で使用者は認識することになるため、ＣＯ2排出量を数値だけで認識することなく、常に必要本数とともに認識することになる。その結果、使用者は、ＣＯ2の吸収に多くの木が必要であることと、ＣＯ2排出量の大小を常に感覚的に意識することになり、使用者にＣＯ2の排出の抑制及び木の大切さを喚起することが可能となる。
【００１０】
特に本発明では、カード状ケースに対して、固有の識別情報を視認可能に配置する。具体的な配置態様としては、カード状ケースの表面部に数字、文字、記号等により表現された識別情報を印刷したり、刻印してもよい。また識別情報を印刷した粘着シールをカード状ケース上に貼付してもよい。さらに、識別情報を印刷したカードをカード状ケースの例えばストラップ取付部を利用してカード状ケースに対して取付けて配置するようにしてもよい。
【００１１】
本発明によれば、カード状ケースに対して配置した固有の識別情報を、ＩＤやパスワード等の識別手段として利用することにより、本発明のＣＯ2排出量演算装置の利用者のみを対象としたコミュニティサイトなどのサービスを提供することが可能となる。このようにすることにより、利用者のＣＯ2排出量の削減に対する関心を高めることができる。
【００１２】
カード状ケースに設けたストラップ取付部に、首にかけることができる長いストラップを取り付ければ、ＣＯ2排出量演算装置をアクセサリーのように常時携帯することができ、どこでもＣＯ2排出量演算を行うことができる。
【００１３】
また、表示画面には、複数の表示部分に表示された複数の物質名に対応する複数の物質名を表示し、操作された物質指定用スイッチ操作部に対応する表示画面上の物質名を他の物質名の表示とは区別できる表示態様で表示するように画像表示部を構成してもよい。例えば、操作された物質指定用スイッチ操作部に対応する表示画面上の物質名のみが点滅するように構成してもよい。また、表示画面には、複数の表示部分に表示された複数の物質名に対応する複数の物質名を表示可能に構成し、操作された物質指定用スイッチ操作部に対応する表示画面上の物質名のみが表示されるようにしてもよい。このように構成すれば、物質指定用スイッチ操作部を操作した結果が、必ず表示画面に表示されるようになるため、どの物質指定用スイッチ操作部を操作したのかがわかり、誤操作を防止することができる。
【００１４】
さらに、複数の表示部分には、複数の物質名に対応するアイコンを表示してもよい。使用者がアイコンを見ることで、直感的にその物質を知ることができるため、スイッチの選択時間を短縮化することができる。また低年齢層の使用者のように物質名を読むことができなくても、使用することが可能となる。
【００１５】
なお、カード状ケースの厚み方向に対向する一対の面の一方の面に、複数の物質指定用スイッチ操作部、複数の数量指定用スイッチ操作部及び開始指令入力用スイッチ操作部を操作可能に配置し、且つ、画像表示部を視認可能に配置し、カード状ケースの一対の面の他方の面には、物質名に包含される複数の物質のＣＯ2排出係数及び／又は換算率を表示することもできる。このようにＣＯ2排出係数及び／又は換算率を表示しておけば、スイッチの数に限りがある場合でも、例えば演算結果に表示されている換算率を暗算で掛け合わせることにより、より多くの物質のＣＯ2排出量を知ることができる。また、より詳細に物質を特定してＣＯ2排出量を知ることができる。
【発明の効果】
【００１６】
本発明のＣＯ2排出量演算装置によれば、ＣＯ2排出量演算部の演算結果であるＣＯ2排出量を１年間に何本の木で吸収することができるかに換算して必要な木の本数を表示する必要本数換算部を備えており、画像表示部がＣＯ2排出量及び必要本数を木のアイコンと共に１つの表示画面の隣り合う位置に表示するため、ＣＯ2排出量が多いのか、または、少ないのかを感覚的に把握することができる。また利用者のＣＯ2排出量の削減に対する関心を高めることができる。
【発明を実施するための最良の形態】
【００１７】
以下、図面を参照して本発明のＣＯ2排出量演算装置の実施の形態の一例を詳細に説明する。図１は、本発明のＣＯ2排出量演算装置を電卓構造で構成した実施の形態の一例の表面側の表示例を示す図である。図１に示されるように、本実施の形態のＣＯ2排出量演算装置１は、カード状ケース３を有している。カード状ケース３の表面部には、物質名とそれに対応するアイコンを表示する表示部分５ａ乃至５ｌ（総称して「表示部分５」という場合がある。）を有する物質指定用スイッチ操作部７ａ乃至７ｌ（総称して「物質指定用スイッチ操作部７」という場合がある。）と、表示画面９と、数字の０から９までのスイッチを有する数量指定用スイッチ操作部１１と、開始指令入力用スイッチ操作部１３と、クリアスイッチ操作部１５が設けられている。また、電源として太陽電池パネル１６を備えている。なお、物質指定用スイッチ操作部７ａ乃至７ｌ、数量指定用スイッチ操作部１１、開始指令入力用スイッチ操作部１３、クリアスイッチ操作部１５をまとめて入力部６としている。入力部６を構成する各スイッチは、通常カード式電卓で採用されるプッシュスイッチと同様のプッシュスイッチによって構成されている。またカード状ケース３の１つの角部には、ストラップを取り付ける際に利用する貫通孔から構成されたストラップ取付部８が形成されている。このストラップ取付部８に長いストラップを取り付ければ、カード状のＣＯ2排出量演算装置を使用者の首から下げることができる。
【００１８】
さらに、表示画面９には、対応する物質指定用スイッチ操作部７ａ乃至７ｌが操作されることにより視認可能となる物質名表示部１７ａ乃至１７ｌ（総称して「物質名表示部１７」という場合がある。）と、数量指定用スイッチ操作部１１の操作により入力された数値を表示する数量表示部１９と、選択された物質に対応して数量の単位を表示する単位表示部２１と、演算結果であるＣＯ2排出量を表示するＣＯ2排出量表示部２３と、１年間に何本の木で吸収することができるかに換算した必要本数を木のアイコン２４と共に表示する必要本数表示部２５とを備えている。なお、図１では、説明の便宜上、全ての表示部が視認可能な状態（通電し、すべてのアイコンを含む表示部分が点灯した状態）で表示してある。
【００１９】
ここで、本発明でいう「物質」とは、有体物に限られず、無体物も含む概念であり、本実施の形態では、表示部分５ａ乃至５ｌには、「電気」・「都市ガス」・「ＬＰガス」・「水道」・「ガソリン」・「軽油」・「灯油」・「アルミ缶」・「スチール缶」・「ペットボトル」・「ガラス瓶」・「ゴミ」の物質名とアイコンを表示し、各物質の使用量に応じたＣＯ2排出量を演算できるようになっている。
【００２０】
なお、本発明で演算するＣＯ2排出量は、各物質の「使用量」に応じてどれだけＣＯ2が排出されるのかを演算したものであるが、各物質によって「使用量」の意味合いは異なる。例えば、「都市ガス」・「ＬＰガス」・「ガソリン」・「軽油」・「灯油」については、各物質を燃焼した量を「使用量」として、実際に発生するＣＯ2の排出量（直接排出）を演算している。これに対して、「電気」は、発電所（特に火力発電所）において発電する際にＣＯ2が排出されており、電気の使用によって、間接的にＣＯ2を排出しているとみなすことができるため、電気を使用した量を「使用量」としてＣＯ2排出量を演算している。「水道」についても、「電気」と同様であり、浄水場などでの電気の使用によってＣＯ2が排出されており、水道の使用によって、間接的にＣＯ2を排出しているとみなすことができるため、水道を使用した量を「使用量」としてＣＯ2排出量を演算している。また、「アルミ缶」・「スチール缶」・「ペットボトル」・「ガラス瓶」・「ゴミ」については、これらをリサイクル等せずに、焼却処分した数や重量を「使用量」として、処分時に排出されるＣＯ2排出量を演算している。
【００２１】
図２は、本実施の形態のＣＯ2排出量演算装置のハードウエアの構成を示すブロック図である。本実施の形態のＣＯ2排出量演算装置は、入力部６と、データ処理部２７と、データ記憶部２９と、表示画面９を含んだ画像表示部３１とから構成されている。データ処理部２７は、マイクロコンピュータや演算用ＩＣによって構成され、入力部６からの入力信号に基づき、データ記憶部２９から必要なデータを読み出し、ＣＯ2排出量を演算するＣＯ2排出量演算部３３と、ＣＯ2排出量演算部３３の演算結果であるＣＯ2排出量を１年間に何本の木で吸収することができるかに換算して必要な木の本数を表示する必要本数換算部３５を備えている。また、データ記憶部２９には、演算や換算に使用する各係数や、各物質の数量に対応する単位などが記憶されている。
【００２２】
データ記憶部２９に記憶しておくＣＯ2排出係数は、なるべく現実に即したものを利用した方がよいが、ＣＯ2排出係数は地域や年度などによる差があることが知られている。例えば東京都と沖縄県の電気の使用によるＣＯ2排出係数は、東京都が368g-CO2/kWh（平成17年度）であるのに対して、沖縄県は938g-CO2/kWh（平成17年度）と大きな違いがある。本実施の形態で全てに対応した物質指定用スイッチ操作部７を準備することは困難であるため、本実施の形態では、次に例示する平均的なＣＯ2排出係数を利用している。
【００２３】
「電気」          1kWhあたり440g（440g-CO2/kWh）
「都市ガス」      1m3あたり2347g（2347g-CO2/m3）
「ＬＰガス」      1m3あたり6600g（6600g-CO2/m3）
「水道」          1m3あたり587g（587g-CO2/m3）
「ガソリン」      1lあたり2347g（2347g-CO2/l）
「軽油」          1lあたり2640g（2640g-CO2/l）
「灯油」          1lあたり2347g（2347g-CO2/l）
「アルミ缶」      1本あたり183g（183g-CO2/本）
「スチール缶」    1本あたり183g（183g-CO2/本）
「ペットボトル」  1本あたり37g（37g-CO2/本）
「ガラス瓶」      1本あたり110g（110g-CO2/本）
「ゴミ」          1kgあたり880g（880g-CO2/kg）
木のＣＯ2吸収量の換算に利用する係数は、一本の杉の木が１年間に吸収するＣＯ2の量が14000gであることを利用して「杉の木１本あたり14000g（14000g/本）」を係数としている（以下、「換算係数」という）。これら以外の係数を利用してもよいのはもちろんであり、本実施の形態のＣＯ2排出量演算装置を配布する地域ごとや年度ごとに係数を変更するなどしてもよい。
【００２４】
次に、図３のフローチャート及び具体例（物質：「電気」  使用量：「100kWh」）を用いて、本実施の形態のＣＯ2排出量の演算・換算の過程を説明する。まず、使用者は、ＣＯ2排出量を知りたい物質を指定するため、希望する物質の名称が表示された物質指定用スイッチ操作部７を操作する（ステップＳＴ１）。この操作を行うと、データ処理部２７のＣＯ2排出量演算部３３は、データ記憶部２９から対応するＣＯ2排出係数を読み出す。そして、データ処理部２７は画像表示部３１に、物質名表示部１７と単位表示部２１を表示する信号を出力し、表示する（ステップＳＴ２）。
【００２５】
例えば、「電気」を指定する場合、使用者は、物質指定用スイッチ操作部７ａの「電気」を押して、物質を指定する。すると、対応する物質名表示部１７ａの「電気」と、単位表示部２１の単位である「kWh」が点灯し、視認可能となる（図４（Ａ）参照）。このように表示画面９に、操作した物質指定用スイッチ７に対応する表示がなされることにより、使用者は正しい操作ができたか否かの確認が容易にできる。操作を誤った場合には、クリアスイッチ操作部１５を押し、ステップＳＴ１から操作しなおすことになる（ステップＳＴ３）。なお、表示部の表示方法は任意であり、例えば、物質名表示部１７は全て点灯状態にしておき、物質指定用スイッチ操作部７が押された場合に、対応する物質名表示部１７が点滅するように設定してもよい。またすべて点灯状態にしない場合でも、表示した物質名表示部１７だけを点滅させるようにしてもよい。
【００２６】
ＣＯ2排出量を知りたい物質を指定できたら、次に、使用者は、ステップＳＴ４で、当該物質の使用量を数量指定用スイッチ操作部１１を用いて入力する。この操作により、データ処理部２７のＣＯ2排出量演算部３３には使用量が入力され、データ処理部２７は、画像表示部３１に数量表示部１９に使用量を表示する信号を発生する（ステップＳＴ５）。
【００２７】
例えば、電気の使用量が100kWhであれば、数量指定用スイッチ操作部１１を「１」→「０」→「０」の順に押し、数量を指定することで、数量表示部１９に「数量１００」が表示される（図４（Ｂ）参照）。ここでも表示画面９に、操作結果が表示されるため、使用者は正しい操作ができたか否かの確認が容易にできる。操作を誤った場合には、クリアスイッチ操作部１５を押し、ステップＳＴ１から操作しなおす（ステップＳＴ６）。
【００２８】
ここまでの操作に誤りがない場合、使用者は、ステップＳＴ７に移って、開始指令入力スイッチ操作部１３を押す。開始指令入力スイッチ操作部１３が押されると、演算開始指令が発信され、ＣＯ2排出量演算部３３は、既に読み出してあるＣＯ2排出係数と入力された使用量に基づいて、ステップＳＴ８を実行する。ステップＳＴ８では、ＣＯ2排出量演算部３３は、［使用量］×［ＣＯ2排出係数］を演算する。例えば、上記の例（「電気」の使用量が「100kWh」）の場合には、100（kWh）×440（g-CO2/kWh）が演算され、ＣＯ2排出量は、「44000g」であるという演算結果が出される。
【００２９】
続いて、ステップＳＴ９では、ＣＯ2排出量演算部３３の演算結果に基づき、ＣＯ2の吸収に必要な木の必要本数への換算を行う。必要本数換算部３５は、データ記憶部２９に記憶されている換算係数を読み出し、［ＣＯ2排出量］／［換算係数］を演算し、杉の木の必要本数に換算する。「電気」の使用量が「100kW」の場合には、44000（g）／14000（g/本）が演算される。なお、本実施の形態の必要本数換算部３５は、小数点２桁以下を切り捨てる設定にしているため、本例の杉の木の必要本数は「３．１」となる。
【００３０】
ステップＳＴ１０では、データ処理部２７からの出力に基づき、演算結果であるＣＯ2排出量を、表示画面９のＣＯ2排出量表示部２３に表示し、換算結果である必要本数を、必要本数表示部２５に表示する。本例では、ＣＯ2排出量表示部２３には、「ＣＯ2排出量＝44,000g」と表示され、必要本数表示部２５には、「3.1本相当」と表示されることになる（図４（Ｃ）参照）。本実施の形態では、必要本数表示部２５には木のアイコン２４が表示されており、使用者が数値の意味を直感的に理解する助けとなっている。特に、本実施の形態では、ＣＯ2排出量表示部２３と必要本数表示部２５とが隣り合って表示されている。そのため、必要本数表示部２５が無い場合や、離れて表示されている場合に比べて、演算されたＣＯ2排出量を吸収するためには、どれほどの木（杉の木）が必要になるかを、表示画面の１箇所を見ることにより、使用者に常に認識させることができるという効果がある。他にＣＯ2排出量を知りたい物質があれば、ステップＳＴ１から再度演算・換算をはじめることができ、全ての演算・換算が終了したところで終了となる（ステップＳＴ１１）。
【００３１】
図５は、本実施の形態のＣＯ2排出量演算装置の裏面を表した外観図である。上記の通り、ＣＯ2排出係数は地域による差があることが知られている。また、本実施の形態では、物質指定用スイッチ操作部１７の数に限りがあるため、指定できる物質の種類が少ない。そこで、本実施の形態では、表示部分５に表示されている物質以外のＣＯ2排出係数、及び、演算したＣＯ2排出量を各地域のＣＯ2排出量に換算したり、より詳細な物質のＣＯ2排出量を知るための係数が表示された係数表３７が貼付されている。
【００３２】
係数表３７は、ＣＯ2排出量演算装置の配布場所などによって変えてもよく、その場合には、地域ごとのＣＯ2排出係数と、本実施の形態のＣＯ2排出量演算装置による演算結果の何倍程度がその地域におけるＣＯ2排出量なのかがわかる係数を表示すればよい。例えば、沖縄県の「電気」の場合、「電気」の欄に、沖縄県の電気のＣＯ2排出係数「938g-CO2/kWh」を表示すると共に、本実施の形態のＣＯ2排出量演算装置による演算結果の「2.1倍」が本来のＣＯ2排出量であることが示されている。
【００３３】
また、例えば、本実施の形態では、「ゴミ」について演算することが可能であるが、「ゴミ」には、生ゴミや食品トレーなど、いろいろな種類が含まれており、「ゴミ」だけでは正確性に欠ける可能性がある。その他の物質についても同様である。そこで、係数表３７に、上位概念の物質と、それに属する下位概念の物質とを表示し、下位概念の物質のＣＯ2排出係数と、本実施の形態のＣＯ2排出量演算装置による演算結果の何倍程度が当該物質のＣＯ2排出量なのかがわかる係数を表示すればよい。例えば、「ゴミ」に属する「食品トレー」のＣＯ2排出係数は、１枚あたり7g（7g-CO2/枚）であるため、ＣＯ2排出係数「7g-CO2/枚」を表示すると共に、本実施の形態のＣＯ2排出量演算装置による演算結果の「0.008倍」が本来のＣＯ2排出量であることが示されている。
【００３４】
さらに、本実施の形態のＣＯ2排出量演算装置には、カード状ケース上に、通信ネットワーク上のコミュニティサイトのＵＲＬ３９及び各ＣＯ2排出量演算装置に付与される固有の識別情報であるシリアルナンバー４１が記載されている。図６は、本実施の形態のコミュニティサイトを概念的に示した図である。ＣＯ2排出量演算装置の利用者は、通信ネットワーク４３に接続できる電子計算機端末４５や携帯電話４７を使用してサーバ４９にアクセスし、シリアルナンバー４１を入力し、会員登録することが可能である。会員登録を行うことにより、利用者は会員としてコミュニティに参加することができ、利用者同士の情報交換などを通じてＣＯ2排出量の削減について関心をより高めることができる。
【００３５】
コミュニティサイトでは、会員ごとにＣＯ2排出量を演算した結果の総計を保存する個人メモリファイルを設けることができる。そして各個人メモリファイルに保存されたデータに基づいて、ランキングを公表してもよい。さらに個人メモリファイルに保存されている総計に応じて、会員にポイントを付与するようにしてもよい。ポイントの利用態様は任意である。例えば、コミュニティサイトにスポンサー企業から出資を募り、ポイント分を金額に換算し、その金額を各種の環境保護団体や環境保護事業に募金できるような募金システムにポイントを利用してもよい。さらにカード状ケースの裏面に表記した係数表３７は、必ずしも十分な情報とはいえないので、さらに詳細な係数表をカード上に印刷した補助カードを、ポイントで入手できるようにするシステムを設けてもよい。補助カードにもストラップ取付孔を設けておけば、ＣＯ2排出量演算装置と一緒に持ち歩くことが可能になる。
【００３６】
本実施の形態では、上記の通り、ＣＯ2排出係数は予めデータ記憶部２９に記憶しておいたが、データ記憶部２９に書換可能なフラッシュメモリなどの記録媒体を使用して、ＣＯ2排出係数を変更可能にしてもよい。このように構成すれば、使用者が、各自の居住している地域に応じたＣＯ2排出係数を記憶させておき、より正確なＣＯ2排出量及び当該ＣＯ2排出量を吸収するのに必要な木の本数を知ることができる。
【図面の簡単な説明】
【００３７】
【図１】本実施の形態のＣＯ2排出量演算装置の表面を表した外観図である。
【図２】本実施の形態のＣＯ2排出量演算装置の構成を示すブロック図である。
【図３】本実施の形態のＣＯ2排出量の演算・換算の過程を示すフローチャートである。
【図４】（Ａ）乃至（Ｃ）は、本実施の形態のＣＯ2排出量演算装置の表示画面の表示例を示した図である。
【図５】本実施の形態のＣＯ2排出量演算装置の裏面を表した外観図である。
【図６】本実施の形態のコミュニティサイトを概念的に示した図である。
【符号の説明】
【００３８】
１  ＣＯ2排出量演算装置
３  カード状ケース
５  表示部分
６  入力部
７  物質指定用スイッチ操作部
８  ストラップ取付部
９  表示画面
１１  数量指定用スイッチ操作部
１３  開始指令入力用スイッチ操作部
１５  クリアスイッチ操作部
１７  物質名表示部
１９  数量表示部
２１  単位表示部
２３  ＣＯ2排出量表示部
２５  必要本数表示部
２７  データ処理部
２９  データ記憶部
３１  画像表示部
３３  ＣＯ2排出量演算部
３５  必要本数換算部
３７  係数表
３９  ＵＲＬ
４１  シリアルナンバー
４３  通信ネットワーク
４５  電子計算機端末
４７  携帯電話
４９  サーバ
【図１】
2009169867.tif 000003
【図２】
2009169867.tif 000004
【図３】
2009169867.tif 000005
【図４】
2009169867.tif 000006
【図５】
2009169867.tif 000007
【図６】
2009169867.tif 000008